(57)【特許請求の範囲】
【請求項１】
複数のチャンネルを含むテレビジョン信号を受信するための受信手段と、
前記複数のチャンネルのうち、表示装置の主画面領域に表示するチャンネルと、前記表示装置の少なくとも１つの子画面領域に表示する複数のチャンネルとを決定するとともに、前記子画面領域に表示する複数のチャンネルの表示順序を決定するための決定手段と、
前記決定手段によって前記主画面領域または前記子画面領域に夫々表示するように決定された表示チャンネルを、前記主画面領域及び少なくとも１つの子画面領域に同時に表示するように前記表示装置を制御するための表示制御手段と、
前記子画面領域に表示しているチャンネルを前記決定手段で決定した表示順序に従って、第１のチャンネルから第２のチャンネルに自動的に表示を変更する制御を実行する制御手段と、を有し、
前記制御手段は、前記子画面領域に前記第１のチャンネルの映像を表示している状態から前記第２のチャンネルの映像を表示している状態へ表示を切り換える際、前記第１のチャンネルの映像と前記第２のチャンネルの映像とを１つの子画面領域内に、所定期間同時に表示するように前記第１のチャンネルの映像と前記第２のチャンネルの映像とを合成して表示する制御と、
前記第１のチャンネルの映像と前記第２のチャンネルの映像とが合成されて表示されている所定期間内にユーザから前記第１のチャンネルの映像の表示状態に戻る旨の指示入力がなされた場合には、前記第１のチャンネルの映像と前記第２のチャンネルの映像とを合成して表示している状態から、前記子画面領域に前記第１のチャンネルの映像を表示している状態に戻す制御と、を実行することを特徴とする受信装置。
【請求項２】
前記制御手段によって、所定期間同時に表示される前記第１のチャンネルの映像は静止画であり、前記第２のチャンネルの映像は動画であることを特徴とする請求項１に記載の受信装置。
【請求項３】
前記受信手段によって受信されたテレビジョン信号に含まれる複数のチャンネルから所定の条件に合致したチャンネルを絞り込むための絞込手段をさらに有し、
前記決定手段は、前記絞込手段によって絞り込まれた複数のチャンネルから、前記主画面領域に表示する１つのチャンネルと、前記子画面領域に表示するその他のチャンネルとを決定することを特徴とする請求項１または２に記載の受信装置。
【請求項４】
複数のチャンネルを含むテレビジョン信号を受信するための受信ステップと、
前記複数のチャンネルのうち、表示装置の主画面領域に表示するチャンネルと、前記表示装置の少なくとも１つの子画面領域に表示する複数のチャンネルとを決定するとともに、前記子画面領域に表示する複数のチャンネルの表示順序を決定するための決定ステップと、
前記決定ステップによって前記主画面領域または前記子画面領域に夫々表示するように決定された表示チャンネルを、前記主画面領域及び少なくとも１つの子画面領域に同時に表示するように前記表示装置を制御するための表示制御ステップと、
前記子画面領域に表示しているチャンネルを前記決定ステップで決定した表示順序に従って、第１のチャンネルから第２のチャンネルに自動的に表示を変更する制御を実行する制御ステップと、を有し、
前記制御ステップは、前記子画面領域に前記第１のチャンネルの映像を表示している状態から前記第２のチャンネルの映像を表示している状態へ表示を切り換える際、前記第１のチャンネルの映像と前記第２のチャンネルの映像とを１つの子画面領域内に、所定期間同時に表示するように前記第１のチャンネルの映像と前記第２のチャンネルの映像とを合成して表示する制御と、
前記第１のチャンネルの映像と前記第２のチャンネルの映像とが合成されて表示されている所定期間内にユーザから前記第１のチャンネルの映像の表示状態に戻る旨の指示入力がなされた場合には、前記第１のチャンネルの映像と前記第２のチャンネルの映像とを合成して表示している状態から、前記子画面領域に前記第１のチャンネルの映像を表示している状態に戻す制御と、を実行することを特徴とする受信装置の制御方法。
【請求項５】
前記制御ステップによって、所定期間同時に表示される前記第１のチャンネルの映像は静止画であり、前記第２のチャンネルの映像は動画であることを特徴とする請求項４に記載の受信装置の制御方法。
【請求項６】
前記受信ステップによって受信されたテレビジョン信号に含まれる複数のチャンネルから所定の条件に合致したチャンネルを絞り込むための絞込ステップをさらに有し、
前記決定ステップは、前記絞込ステップによって絞り込まれた複数のチャンネルから、前記主画面領域に表示する１つのチャンネルと、前記子画面領域に表示するその他のチャンネルとを決定することを特徴とする請求項４または５に記載の受信装置の制御方法。
【発明の詳細な説明】
【０００１】
【発明の属する技術分野】
本発明は、例えば、アナログ放送やディジタル放送を受信して、主画面と、その主画面内又は外に複数の子画面を表示するための装置或いはシステムに用いられる、受信装置、及び受信装置の制御方法に関するものである。
【０００２】
【従来の技術】
従来より例えば、アナログ放送を受信して画面表示する受信装置として、主画面と共に、当該主画面内又は主画面外の複数の子画面を表示するようになされたテレビジョン装置が知られている。また、１つのチューナを時分割に制御して、準動画の巡回的な切換表示を行うことで、子画面の分割数を放送番組（チャンネル）数分に増やしたマルチ画面のテレビジョン装置等も実用化されている。このような機能を有するテレビジョン装置の一例は、例えば、特開平１０−５１７０９号等で開示されている。
【０００３】
また、今後のアナログ放送に取って代わる技術として放送が予定されているディジタル放送に関しては、放送の多チャンネル化への対応として、ディジタル放送から取得した番組情報を画面上に表示し、その画面上から番組選局が行えるようになされた「ＥＰＧ（電子プログラムガイド）」と呼ばれる新たな番組選局方法も実用化されようとしている。
【０００４】
【発明が解決しようとする課題】
しかしながら、上述したような、番組数分の子画面分割を行ったマルチ画面を表示するようになされた従来の受信装置では、次のような問題があった。
（１）数十チャンネルのアナログ放送には十分に対応できたが、数百チャンネルの多チャンネル化が予定されているディジタル放送には数百チャンネルもの子画面分割数を増やせない。
（２）子画面分割数が多くなるほど、個々の子画面の表示解像度が低くなることで、視認性が悪くなってしまう。
（３）子画面分割数を減らして表示をしたとしても、マルチ画面表示時に子画面の番組を瞬時に切換えようとすると、ユーザはどの画面が切り替わったのかわかりづらくなってしまう。
（４）ディジタル放送におけるＥＰＧ（Ｅｌｅｃｔｒｏｎｉｃａｌ  Ｐｒｏｇｒａｍ  Ｇｕｉｄ）による番組選局は、明確な目的をもって見たい番組を探す場合や、コンピュータの操作に慣れたユーザにとっては、非常に好適な方法であるが、気軽に画面を見ながら、そのときの好みの番組を直観的に選択したい場合や、コンピュータの操作に不慣れなユーザにとっては、従来からあるアナログ放送の受信装置での操作感が得られないことから、ディジタル放送の普及に対して大きなバリアとなってしまう可能性がある。
【０００５】
そこで、本発明は、上記の欠点を除去するために成されたもので、多チャンネルの放送であっても、ユーザにとって見易く、且つ効率的に画面分割して表示でき、ユーザの番組選局等の操作性を向上できる、受信装置、及び受信装置の制御方法を提供することを目的とする。
【０００６】
【課題を解決するための手段】
本発明の受信装置は、複数のチャンネルを含むテレビジョン信号を受信するための受信手段と、前記複数のチャンネルのうち、表示装置の主画面領域に表示するチャンネルと、前記表示装置の少なくとも１つの子画面領域に表示する複数のチャンネルとを決定するとともに、前記子画面領域に表示する複数のチャンネルの表示順序を決定するための決定手段と、前記決定手段によって前記主画面領域または前記子画面領域に夫々表示するように決定された表示チャンネルを、前記主画面領域及び少なくとも１つの子画面領域に同時に表示するように前記表示装置を制御するための表示制御手段と、前記子画面領域に表示しているチャンネルを前記決定手段で決定した表示順序に従って、第１のチャンネルから第２のチャンネルに自動的に表示を変更する制御を実行する制御手段と、を有し、前記制御手段は、前記子画面領域に前記第１のチャンネルの映像を表示している状態から前記第２のチャンネルの映像を表示している状態へ表示を切り換える際、前記第１のチャンネルの映像と前記第２のチャンネルの映像とを１つの子画面領域内に、所定期間同時に表示するように前記第１のチャンネルの映像と前記第２のチャンネルの映像とを合成して表示する制御と、前記第１のチャンネルの映像と前記第２のチャンネルの映像とが合成されて表示されている所定期間内にユーザから前記第１のチャンネルの映像の表示状態に戻る旨の指示入力がなされた場合には、前記第１のチャンネルの映像と前記第２のチャンネルの映像とを合成して表示している状態から、前記子画面領域に前記第１のチャンネルの映像を表示している状態に戻す制御と、を実行することを特徴とする。
【０００７】
本発明の受信装置の制御方法は、複数のチャンネルを含むテレビジョン信号を受信するための受信ステップと、前記複数のチャンネルのうち、表示装置の主画面領域に表示するチャンネルと、前記表示装置の少なくとも１つの子画面領域に表示する複数のチャンネルとを決定するとともに、前記子画面領域に表示する複数のチャンネルの表示順序を決定するための決定ステップと、前記決定ステップによって前記主画面領域または前記子画面領域に夫々表示するように決定された表示チャンネルを、前記主画面領域及び少なくとも１つの子画面領域に同時に表示するように前記表示装置を制御するための表示制御ステップと、前記子画面領域に表示しているチャンネルを前記決定ステップで決定した表示順序に従って、第１のチャンネルから第２のチャンネルに自動的に表示を変更する制御を実行する制御ステップと、を有し、前記制御ステップは、前記子画面領域に前記第１のチャンネルの映像を表示している状態から前記第２のチャンネルの映像を表示している状態へ表示を切り換える際、前記第１のチャンネルの映像と前記第２のチャンネルの映像とを１つの子画面領域内に、所定期間同時に表示するように前記第１のチャンネルの映像と前記第２のチャンネルの映像とを合成して表示する制御と、前記第１のチャンネルの映像と前記第２のチャンネルの映像とが合成されて表示されている所定期間内にユーザから前記第１のチャンネルの映像の表示状態に戻る旨の指示入力がなされた場合には、前記第１のチャンネルの映像と前記第２のチャンネルの映像とを合成して表示している状態から、前記子画面領域に前記第１のチャンネルの映像を表示している状態に戻す制御と、を実行することを特徴とする。
【００５７】
【発明の実施の形態】
以下、本発明の実施の形態について図面を用いて説明する。
【００５８】
＜第１の実施の形態＞
本発明は、例えば、図１に示すようなディジタル放送の受信装置１００に適用される。
本実施の形態の受信装置１００は、複数の独立した番組映像ソースを、予め決められた所定のレイアウトに基づいて、１つの表示部１１１に合成表示できるように構成されている。
【００５９】
（受信装置１００の全体構成）
受信装置１００は、上記図１に示すように、ディジタル放送波を受波するアンテナ１０１と、アンテナ１０１で受波された任意のチャンネルの映像データを取得する複数の映像処理部１０２（１），１０２（２），１０２（３），１０２（４）と、ＧＵＩ（Ｇｒａｐｈｉｃａｌ  Ｕｓｅｒ  Ｉｎｔｅｒｆａｃｅ）としてのＯＳＤデータを生成するＧＵＩ生成部１１５と、映像処理部１０２（１），１０２（２），１０２（３），１０２（４）で得られた映像、及びＧＵＩ生成部１１５で得られたＯＳＤデータを合成する合成部１０９と、合成部１０９で得られた合成映像を表示部１１１で表示するための制御を行う表示制御部１１０と、リモートコントローラ（以下、「リモコン」と言う）１１７からのコマンドを受け付けるリモコン受光部１１６と、リモコン受光部１１６で受け付けられたコマンド等に従って受信装置１００全体の動作制御を司るＣＰＵ等の制御部１１２と、制御部１１２から作業用メモリ等として使用されるＲＡＭ１１４と、制御部１１２での動作制御のための処理プログラム等が格納されたＲＯＭ１１３とを備えている。
【００６０】
また、複数の映像処理部１０２（１），１０２（２），１０２（３），１０２（４）は、それぞれ同様の構成としており、例えば、映像処理部１０２（１）は、チューナ部２−１、復調部３−１、デマルチプレクサ４−１、映像デコーダ５−１、拡大縮小部６−１、メモリ制御部７−１、及びメモリ８−１を含んでおり、メモリ制御部７−１の出力が、合成部１０９へ供給されるようになされている。
【００６１】
尚、本形態では、説明の簡単のため、４つの映像処理部１０２（１）〜１０２（４）を備えているが、５つ以上の映像処理部を備えてもよい。
また、複数の映像処理部１０２（１）〜１０２（４）のそれぞれは、同様の構成及び動作としているため、任意の映像処理部１２０１０２（Ｘ）に着目して、その具体的な構成及び動作について説明する。
【００６２】
アンテナ１０１は、例えば、パラボラアンテナであり、ＢＳディジタル放送やＣＳディジタル放送を受波する。
尚、本実施の形態では、受信するディジタル放送として、衛星放送を一例に挙げているが、これに限られることはなく、地上波や光ケーブル等からの放送受信としてもよい。
【００６３】
映像処理部１０２（Ｘ）において、チューナ部２−Ｘは、アンテナ１０１で受波されたテレビジョン信号を、帯域フィルタやダウンコンバータ等へ通過させた後、復調部３−Ｘに対して出力する。
復調部３−Ｘは、チューナ部２−Ｘからのテレビジョン信号に対して、伝送形態に合致した復調処理を施すと共に、誤り訂正処理等を施し、これにより取得した所望のＭＰＥＧ２トランスポートストリームを、デマルチプレクサ４−Ｘへ供給する。
デマルチプレクサ４−Ｘは、復調部３−ＸからのＭＰＥＧ２トランスポートストリームから、所望の番組のＭＰＥＧ２の映像データ、ＭＰＥＧ２の音声データ、及びＭＰＥＧ２の付加情報に分離する。
【００６４】
デマルチプレクサ４−Ｘで分離されたＭＰＥＧ２の音声データは、音声デコーダ（図示せず）で復号され、オーディオ信号として出力される。この音声デコーダにアンプ及びスピーカを接続すれば、受信した番組の音声を聞くことができる。
【００６５】
また、デマルチプレクサ４−Ｘで分離されたＭＰＥＧ２の付加情報は、制御部１１２へ供給される。
制御部１１２は、上記付加情報がＢＳディジタル放送で運用が予定されているデータ放送である場合、ＢＭＬ言語を解釈して、マルチメディア情報サービス提供者の構造化されたコンテンツシナリオを得る。
また、制御部１１２は、上記付加情報がＥＰＧ情報の場合、ＰＳＩ／ＳＩ情報を解釈して番組情報（例えば、番組、放送時間、タイトル、カテゴリ等）を得る。
【００６６】
また、デマルチプレクサ４−Ｘで分離されたＭＰＥＧ２の映像データは、映像デコーダ５−Ｘへ供給される。
映像デコーダ５−Ｘは、ＭＰＥＧ２の映像データを復号して、ラスタースキャン形式の表示フォーマットに変換した後、番組映像ソースとして拡大縮小部６−Ｘへ供給する。
【００６７】
拡大縮小部６−Ｘは、制御部１１２からの制御に基づき、映像デコーダ５−Ｘからの番組映像ソースに対して、ＹＵＶの色差信号からＲＧＢ信号に変換するためのマトリックス回路や、走査方式をインタレースからプログレッシブに変換するＩ−Ｐ変換回路等による前処理を施した後、拡大や縮小、或いは等倍処理を施す。
このとき、制御部１１２は、拡大縮小部６−Ｘに対して、表示フォーマット（表示ライン数やドット数、色数）及び予めプリセットされた画面レイアウト情報に基づいて、解像度変換パラメータ（拡大率、縮小率、拡大縮小の重み付けフィルタ係数等）を設定する。
【００６８】
メモリ制御部７−Ｘは、拡大縮小部６−Ｘから、入力レート（入力側の水平／垂直同期信号に同期した転送レート）で受け取った画像データをメモリ８−１へ書き込む制御を行うと同時に、後述する合成部１０９から表示部１１１への出力レート（出力側の水平／垂直同期信号に同期した表示レート）でメモリ８−１から画像データを読み出す制御を行う。
このとき、メモリ制御部７−Ｘは、上記書き込みと上記読み出しを完全に非同期で実行するように制御する。
このため、制御部１１２は、メモリ制御部７−Ｘに対して、メモリ制御パラメータ（入力データのメモリ８−Ｘヘのキャブチャ領域、出力データのメモリ８−Ｘからの読み出し領域等）設定する。
メモリ８−Ｘは、少なくとも表示画像１面分のメモリサイズで構成されている。
【００６９】
合成部１０９は、それぞれ独立して動作するメモリ制御部７−１〜７−４から読み出された４つの画像データを合成する演算ユニットである。
【００７０】
具体的には、まず、本実施の形態ではその一例として、合成部１０９に入力される画像データは全て、表示部１１１の水平／垂直同期信号に同期した共通のタイミングとしており、１フレーム内に転送するデータに示される画像領域を、表示部１１１での実際の画像表示領域と同じとなるように構成している。これは、４つの画像データの位置合せが、合成時に簡単にできることを目的とした一手段である。
また、合成部１０９は、メモリ制御部７−１〜７−４からのそれぞれの画像データにより示される全画像領域でのデータ有効領域を、水平期間内に当該画像データと共に受け取るデータ有効信号により識別できるようになされている。
【００７１】
図２は、合成部１０９の内部構成を示したものである。
合成部１０９は、上記図２に示すように、メモリ制御部７−１〜７−４からのデータ有効信号に基づきメモリ制御部７−１〜７−４からの画像データを切り替えて出力するビデオ切替部１０９ａと、ビデオ切替部１０９ａから出力される画像データとＵＧＩ生成部１１５からのＯＳＤデータ（ＵＧＩＧＵＩデータ）を合成して出力する乗算部１０９ｂとを含んでいる。
【００７２】
ビデオ切替部１０９ａは、メモリ制御部７−１〜７−４からの各データ有効信号をモニタし、メモリ制御部７−１〜７−４からの各画像データにおいて、アクティブとなったデータ有効信号に対応するデータを選択して出力する。
このとき、制御部１１２は、画面レイアウトから判断された重ね合わせ優先度を、ビデオ切替部１０９ａへ設定する。
これにより、ビデオ切替部１０９ａは、アクティブとなったデータ有効信号が複数ある場合、制御部１１２から設定された優先度に基づいて、それらのデータ有効信号に対応するデータの中から、優先度が高いデータを選択して出力する。
【００７３】
したがって、後段の乗算器１０９ｂには、メモリ制御部７−１〜７−４から出力される４つの画像データにより示される４画面のそれぞれの有効画像領域のみが合成された１つの画面（合成画面）のデータが供給されることになる。
【００７４】
また、乗算器１０９ｂには、ＧＵＩ生成部１１５からＯＳＤデータ（ＧＵＩデータ）が供給される。
したがって、乗算器１０９ｂは、ビデオ切替部１０９ａからのデータと、ＧＵＩ生成部１１５からのＧＵＩデータとを合成して出力する。
【００７５】
尚、上記図２では、背景データをＧＵＩにより作成するようにしたが、例えば、ＥＰＧ画面や、その他の操作支援画面等をＧＵＩにより作成し、これをビデオと合成するようにしてもよい。
【００７６】
表示制御部１１０は、合成部１０９からの画像データを表示部１１１で表示するために、表示部１１１の特性に応じた表示駆動の制御や、表示フォーマット変換を行う。
例えば、表示制御部１１０は、出カタイミンク生成機能を有し、この機能により、基準クロックに基づき、出力側の水平同期信号と出力側の垂直同期信号を生成し、これらの信号をタイミング制御信号として表示部１１１へ供給すると共に、合成部１０９にも供給する。
【００７７】
表示部１１０は、表示制御部１１０からのタイミング制御信号に基づいて、合成部１０９からの合成画像データを画面表示する。
尚、表示部１１０としては、例えば、マトリクス電極構造を有するフラットパネル（液晶、プラズマ等）や、ＣＲＴ等のように、画像を画面表示するデバイスであればどのようなものであっても適用可能である。本実施の形態では、その一例として、最も好適な、７２０Ｐ以上のハイビジョン映像を表示できる大画面高精細ディスプレイを用いている。
【００７８】
制御部１１２は、上述したようにＣＰＵ等の受信装置１００全体の動作制御を司るものであり、演算機能の他に、時間を計測するためのカウンタや、周辺入出カインタフェース等をも有する。
尚、制御部１１２としては、論理ロジックのみで構成されたものでも、ＣＰＵや並列演算が可能なメディアプロセッサであってもよい。また、制御を行うためのプログラムは、ＲＯＭ１１３に内蔵されていてもよいし、周辺入出カインタフェースを介して外部から転送されてもよい。
【００７９】
（受信装置１００の動作）
以下に説明する受信装置１００の各種動作は、制御部１１２が、ＲＯＭ１１３等から読み出した所定の処理プログラムを実行することにより実施される。
【００８０】
（１）受信装置１００の初期化動作
図３は、電源投入時の受信装置１００の初期化動作を示したフローチャートである。
【００８１】
先ず、制御部１１２は、受信装置１００での電源投入を検知すると（ステップＳ２００）、画面レイアウト情報をＲＯＭ１１３から取得する（ステップＳ２０１）。
ここでの画面レイアウト情報とは、例えば、図４に示すような、１つの主画面２２１と、第１及び第２の２つの子画面２２２（１），２２２（２）を同時表示するための画面レイアウト２２０の情報である。
このような画面レイアウト２２０により、ユーザは、主画面２２１で所望する番組を視聴しつつ、２つの子画面２２２（１），２２２（２）で裏番組をチェック或いはサーチ等することができる。
尚、画面レイアウト２２０としては、上記図５に示したような画面に限定されるものではない。
【００８２】
次に、制御部１１２は、画面レイアウト２２０において、予め主画面２２１にエントリする番組名と、子画面２２２（１），２２２（２）にエントリする番組名とが決まっているか否かを判別する（ステップＳ２０２）。
この判別の結果、エントリ番組名が決まっている場合には次のステップ２０３はスキップしてそのまま後述するステップＳ２０４へ進み、エントリ番組名が決まっていない場合には次のステップＳ２０３へ進む。
【００８３】
ステップＳ２０２の判別の結果、主画面２２１及び子画面２２２（１），２２２（２）にエントリする番組名が決まっていない場合、制御部１１２は、詳細は後述するが、エントリ番組のフィルタリング処理を実行することで、主画面２２１及び子画面２２２（１），２２２（２）にエントリする番組を決定する（ステップＳ２０３）。
その後、次のステップＳ２０４へ進む。
【００８４】
ステップＳ２０４では、制御部１１２は、主画面２２１にエントリする番組名をＲＡＭ１１４へ設定する。
また、制御部１１２は、子画面２２２（１），２２２（２）にエントリする番組名もＲＡＭ１１４へ設定する（ステップＳ２０５）。
【００８５】
図５は、ステップＳ２０４及びＳ２０５の処理後のＲＡＭ１１４の記憶内容の一例を示したものである。
ＲＡＭ１１４は、上記図５に示すように、主画面２２１のエントリ番組（番組＃０）が格納される領域Ｍａｉｎ（Ｌ０）と、子画面２２２（１）のエントリ番組（番組＃１〜＃５）が格納される領域Ｓｕｂ１（Ｌ０）〜Ｓｕｂ１（Ｌ４）と、子画面２２２（２）のエントリ番組（番組＃６〜＃１０）が格納される領域Ｓｕｂ２（Ｌ０）〜Ｓｕｂ１（Ｌ４）とを含んでいる。
【００８６】
本実施の形態では、その一例として、主画面２２１のエントリ番組数を１番組、子画面２２２（１），２２２（２）のエントリ番組数を共に５番組としている。
子画面２２２（１），２２２（２）のエントリ番組数を複数持たせている理由は、ユーザからのアクションにより、後述する子画面２２２（１），２２２（２）内でのワイプ動作により切り換えることができる番組を予め登録しておくことを目的にしている。
また、子画面２２２（１），２２２（２）のエントリ番組数は、特に、多チャンネルのディジタル放送の場合、ユーザの選局時の負担が軽減できるように、本実施の形態のように絞り込むことが好適である。
【００８７】
ＲＡＭ１１４に設定されたエントリ番組の優先度（ユーザにとっての優先度）については、上記図４の画面レイアウト２２０に従ったマルチ画面表示（以下、単に「マルチ画面」とも言う）上では「主画面２２１＞子画面２２２（１）＞子画面２２２（２）」であり、子画面２２２（１）のエントリ番組においては「Ｓｕｂ１（Ｌ０）＞Ｓｕｂ１（Ｌ１）＞Ｓｕｂ１（Ｌ２）＞Ｓｕｂ１（Ｌ３）＞Ｓｕｂ１（Ｌ４）」であり、子画面２２２（２）のエントリ番組においては、「Ｓｕｂ２（Ｌ０）＞Ｓｕｂ２（Ｌ１）＞Ｓｕｂ２（Ｌ２）＞Ｓｕｂ２（Ｌ３）＞Ｓｕｂ２（Ｌ４）」である。
また、マルチ画面表示時には、Ｍａｉｎ（Ｌ０）、Ｓｕｂ１（Ｌ０）、及びＳｕｂ２（Ｌ０）に格納されているエントリ番組が、表示部１１１で表示される番組となる表示レイヤであり、子画面２２２（１），２２２（２）の残りのエントリ番組が、番組のレディキュとしてＲＡＭ１１４に待機している非表示レイヤである。
【００８８】
上述のようにして、主画面２２１及び子画面２２２（１），２２２（２）のエントリ番組がＲＡＭ１１４へ設定された後、制御部１１２は、主画面２２１用の選局制御を行う（ステップＳ２０６）。この選局制御とは、以下のような一連の制御動作全体を示す。
【００８９】
先ず、制御部１１２は、ＲＡＭ１１２の領域Ｍａｉｎ（Ｌ０）に設定された番組＃０の情報を取得し、この情報に基づきチューナ部２−１を制御する。これにより、チューナ部２−１は、アンテナ１０１の受波において、番組＃０を含んだトランスポンダを選択する。
次に、制御部１１２は、デマルチプレクサ４−１を制御する。これにより、デマルチプレクサ４−１は、チューナ２−１から復調部３−１を介して供給された番組＃０を含むトランスポートストリームを分離する。
そして最後に、制御部１１２は、映像デコーダ５−１を制御する。これにより、映像デコーダ５−１は、デマルチプレクサ４−１からの、番組＃０を含むトランスポートストリーム（以下、「ＴＳ」とも言う）のＭＰＥＧ２の映像データを復号化する。
【００９０】
ステップＳ２０６の主画面２２１用の選局制御の後、制御部１１２は、当該選局制御と同様にして、子画面２２２（１），２２２（２）用の選局制御を行う（ステップＳ２０７）。
但し、制御部１１２は、主画面２２１用の選局制御では映像処理部１０２（１）の各構成部２−１〜５−１を制御したが、子画面２２２（１），２２２（２）用の選局制御では、子画面２２２（１）用の選局制御として映像処理部１０２（２）の各構成部２−２〜５−２を制御し、子画面２２２（２）用の選局制御として映像処理部１０２（３）の各構成部２−３〜５−３を制御する。
【００９１】
次に、制御部１１２は、主画面２２１用の表示パラメータの設定を行う（ステップＳ２０８）。
例えば、制御部１１２は、ステップＳ１０１で取得した画面レイアウト２２０の情報に基づき、拡大縮小部６−１に対して、主画面２２１用の解像度変換パラメータ（拡大縮小率、拡大縮小の重み付け、フィルタ係数等）を設定すると共に、メモリ制御部７−１に対して、メモリ制御パラメータ（入力データのメモリ８−１ヘのキャプチャ領域、出力データのメモリ８−１からの読み出し領域等）を設定する。
【００９２】
次に、制御部１１２は、主画面２２１用の表示パラメータの設定と同様に、子画面２２２（１），２２２（２）用の表示パラメータの設定を行う（ステップＳ２０９）。
但し、制御部１１２は、主画面２２１用の表示パラメータ設定では映像処理部１０２（１）の各構成部６−１，７−１へのパラメータ設定を行った、子画面２２２（１），２２２（２）用の表示パラメータ設定では、子画面２２２（１）用の表示パラメータ設定として映像処理部１０２（２）の各構成部６−２，７−２へのパラメータ設定を行い、子画面２２２（２）用の表示パラメータ設定として映像処理部１０２（３）の各構成部６−３，７−３へのパラメータ設定を行う。
【００９３】
以上のステップＳ２００〜Ｓ２０９により、ＲＡＭ１１４には、上記図５に示したような初期化状態でのエントリ番組の設定が行なわれ、表示部１１１には、上記図４に示したような画面レイアウト２２０に従ったマルチ画面が表示される。
そして、制御部１１２は、リモコン１１７からのユーザアクションの待ち状態となる（ステップＳ２１０）。
【００９４】
（２）エントリ番組のフィルタリング処理（ステップＳ２０３）
図６は、上記図３のステップＳ２０３でのエントリ番組のフィルタリング処理を示したフローチャートである。
【００９５】
先ず、制御部１１２は、ＲＯＭ１１３に予め設定された主画面２２１のエントリ番組数の情報を取得する（ステップＳ２３０）。
本実施の形態では、上述したように一例として、主画面２２１のエントリ番組数を「１」としている。
【００９６】
次に、制御部１１２は、ＲＯＭ１１３に予め設定された子画面２２２（１），２２２（２）のエントリ番組数の情報を取得する（ステップＳ２３１）。
本実施の形態では、上述したように一例として、子画面２２２（１），２２２（２）のエントリ番組数を共に「５」としている。
【００９７】
次に、制御部１１２は、現在時刻情報を取得する（ステップＳ２３２）。
例えば、制御部１１２は、放送からのＴＳデータのタイムスタンプから正確な現在時刻情報を取得する。或いは、制御部１１２は、日付用のタイマから現在時刻情報を取得する。
【００９８】
次に、制御部１１２は、ステップＳ２３２で取得した現在時刻に対応する番組データがあるか否かを判別する（ステップＳ２３３）。
この判別の結果、番組データがある場合には次のステップＳ２３４はスキップしてそのまま後述するステップＳ２３５へ進み、番組データがない場合には次のステップＳ２３４へ進む。
【００９９】
ステップＳ２３３の判別の結果、現在時刻に対応する番組データがない場合、制御部１１２は、放送データから現在の時刻で視聴できる番組のデータを取得する（ステップＳ２３４）。
この番組データは、ＢＳディジタル放送の場合は各トランスポンダに付随して送られる全局ＥＰＧサービスから取得することが可能であり、ＣＳディジタル放送の場合はプロモーションチャンネルから取得することが可能である。
その後、次のステップＳ２３５へ進む。
【０１００】
ステップＳ２３５では、制御部１１２は、番組データが視聴制限番組であるか否かを判別する。
この判別の結果、番組データが視聴制限番組である場合には次のステップＳ２３６へ進み、番組データが視聴制限番組でない場合にはそのまま後述するステップＳ２３８へ進む。
【０１０１】
ステップＳ２３５の判別の結果、番組データが視聴制限番組である場合、制御部１１２は、当該番組を視聴するにあたっての課金処理が既に行なわれた状態であるか否かを判別する（ステップＳ２３６）。
例えば、制御部１１２は、限定受信のための様々な情報が書かれているＩＣカード（図示せず）等から課金処理状況の情報を取得して、上記判別を行う。
この判別の結果、課金処理済みの場合にはそのまま後述するステップＳ２３８へ進み、課金処理済みでない場合には次のステップＳ２３７へ進む。
【０１０２】
ステップＳ２３６の判別の結果、課金処理済みでない場合、制御部１１２は、当該番組データを、エントリ番組の対象からはずすための処理を行う（ステップＳ２３７）。
その後、次のステップＳ２３８へ進む。
【０１０３】
ステップＳ２３８では、制御部１１２は、ステップＳ２３３〜Ｓ２３７の処理により絞り込んだ番組数が、ステップＳ２３０及びＳ２３１で取得した最大エントリ番組数（本実施の形態では、主画面２２１の番組数＋子画面２２２（１）の番組数＋子画面２２２（２）の番組数＝１＋５＋５＝１１個）より大きいか否かを判別する。
この判別の結果、「絞り込み番組数＞最大エントリ番組数」である場合にはステップＳ２３９へ進み、「絞り込み番組数＞最大エントリ番組数」でない場合にはステップＳ２４０へ進む。
【０１０４】
ステップＳ２３８の判別の結果、「絞り込み番組数＞最大エントリ番組数」である場合、制御部１１２は、ユーザが予めリモコン１１７や他の操作手段（図示せず）等により設定したお好み情報（カテゴリ、出演者、ユーザの視聴履歴等）に基づいて、番組数が最大エントリ番組数以内になるように絞込み処理を行う（ステップＳ２３９）。
その後、再びステップＳ２３８へと戻り、以降の処理ステップを繰り返し実行する。
【０１０５】
一方、ステップＳ２３８の判別の結果、「絞り込み番組数＞最大エントリ番組数」でない場合、制御部１１２は、上記お好み情報に基づいて、エントリ番組の優先度付け処理を行う（ステップＳ２４０）。
尚、優先度付け処理に関しては、様々な処理方法があるが、本発明のポイントとはずれるのでここではその詳細は省略する。
【０１０６】
そして、制御部１１２は、最高優先度の番組を主画面２２１用としてＲＡＭ１１４へ設定し（ステップＳ２４１）、また、残りの番組を優先席順に子画面２２２（１），２２２（２）用としてＲＡＭ１１４へ設定する（ステップＳ２４２）。
その後、本処理終了となる。
尚、子画面２２２（１），２２２（２）の番組の具体的な設定方法は、上記図５に示したような、優先度によるエントリ順番（設定順番）と、表示しているものが優先度が高いという条件を考慮して、「Ｓｕｂ１（Ｌ０）＞Ｓｕｂ２（Ｌ０）＞Ｓｕｂ１（Ｌ１）＞Ｓｕｂ２（Ｌ１）＞Ｓｕｂ１（Ｌ２）＞Ｓｕｂ２（Ｌ２）＞Ｓｕｂ１（Ｌ３）＞Ｓｕｂ２（Ｌ３）＞Ｓｕｂ１（Ｌ４）＞Ｓｕｂ２（Ｌ４）」の優先度順となるように番組を設定することが好適である。
【０１０７】
（３）ダブルチューナ時の子画面ワイプ番組切換動作
まず、上記図４に示した画面レイアウト２２０に従ったマルチ画面において、２つの子画面２２２（１），２２２（２）のうちの１つを選択して、その番組を瞬時に切換えると、どの画面が切り替わったのかがユーザにとってわかりづらいものとなる。
そこで、本実施の形態では、ワイプ特有のトランジション効果を活かし、どの画面が切り替わったのかを視覚的に分かりやすくした。このための本実施の形態における番組切換処理を、図７及び図８に示す。
【０１０８】
尚、ここでは説明の簡単のために、主画面２２１用の処理系を映像処理部１０２（１）とし、子画面２２２（１）用の処理系を映像処理部１０２（２）とし、子画面２２２（２）用の処理系を映像処理部１０２（３）とし、子画面２２２（１），２２２（２）共用の処理系を映像処理部１０２（４）とし、合成部１０９は、これらの４つの独立した処理系を同時に処理できる能力を有するものとする。
また、上記図７のフローチャートにおいて、ステップＳ３００、Ｓ３０１，Ｓ３０４，Ｓ３１０，Ｓ３１３の条件分岐部分は、リモコン１１７からのユーザアクションによる条件分岐を示している。
【０１０９】
先ず、制御部１１２は、リモコン受光部１１６で受け付けられたコマンドが、ユーザがリモコン１１７に設けられた自動ワイプ切換モードキーを押下したものによるコマンド（自動ワイプ切換モード）であるか否かを判別する（ステップＳ３００）。
ここでの自動ワイプ切換モードとは、マルチ画面においてユーザが主画面２２１を視聴している場合、受信装置１００が子画面２２２（１），２２２（２）を任意の一定の間隔で自動的にワイプ動作で切り換えるモードである。これにより、ユーザは、リモコン１１７を操作することなく、様々な番組チェックを行える。
【０１１０】
ステップＳ３００の判別の結果、自動ワイプ切換モードである場合、制御部１１２は、自動ワイプ切換処理を実行して（ステップＳ３１９）、再びステップＳ３００へ戻り、以降の処理ステップを繰り返し実行する。
尚、自動ワイプ切換処理については、その一例として、後述する“第３の実施の形態”の項で説明する。
【０１１１】
ステップＳ３００の判別の結果、自動ワイプ切換モードでない場合、制御部１１２は、ユーザアクションモードと認識し、リモコン受光部１１６により、リモコン１１７からの子画面２２２（１）の選択を示すコマンド（子画面２２２（１）の選択要求）が受け付けられたか否かを判別し（ステップＳ３０１）、その判別の結果、子画面２２２（１）の選択要求が受け付けられていない場合には、さらにリモコン１１７のから子画面２２２（２）の選択を示すコマンド（子画面２２２（２）の選択要求）が受け付けられたか否かを判別する（ステップＳ３１０）。
ステップＳ３０１及びＳ３１０の判別の結果、リモコン受光部１１６にて子画面２２２（１）と子画面２２２（２）の何れの選択要求をも受け付けられていない場合、ステップＳ３０１へ戻り、以降の処理ステップを繰り返し実行する。
また、ステップＳ３０１の判別の結果、リモコン受光部１１６にて子画面２２２（１）の選択要求が受け付けられた場合、ステップＳ３０２からの処理（ステップＳ３０２〜Ｓ３０９）に進み、ステップＳ３１０の判別の結果、リモコン受光部１１６にて子画面２２２（２）の選択要求が受け付けられた場合、ステップＳ３１１からの処理（ステップＳ３１１〜Ｓ３１８）に進む。
【０１１２】
尚、ステップＳ３０２〜Ｓ３０９の処理と、ステップＳ３１１〜Ｓ３１８の処理とは、対象となる子画面が異なるだけであり、基本的な処理は同様であるため、ここでは説明の簡単のため、ステップＳ３０２〜Ｓ３０９の処理について説明する。
【０１１３】
ステップＳ３０１の判別の結果、リモコン受光部１１６にてリモコン１１７から子画面２２２（１）の選択要求が受け付けられた場合の処理（ステップＳ３０２〜Ｓ３０９）について説明するが、その前に、上記図１と上記図８の対応について説明する。
上記図８では、「チューナ０」がチューナ部２−２、「映像デコーダ０」が映像デコーダ５−２、「メモリ０」がメモリ８−２にそれぞれ対応し、これらの構成部が、子画面２２２（１）用の処理系となる。
また、「チューナ１」がチューナ部２−４、「映像デコーダ１」が映像デコーダ５−４、「メモリ１」がメモリ８−４にそれぞれ対応し、これらの構成部が、画面２２２（１），２２２（２）共用の処理系となる。
【０１１４】
また、上述した初期化では、チューナ０（チューナ２−２）の切換時間と映像デコーダ０（映像デコーダ５−２）の切換時間とを加算した時間Ｔ１経過後に、時間Ｔ２の間、映像デコーダ０（映像デコーダ５−２）が、ＲＡＭ１１４の領域Ｓｕｂ１（Ｌ０）に格納された番組＃１の映像（動画）をデコード出力する（上記図５参照）。
このとき、メモリ０（メモリ８−２）も同様に、ＲＡＭ１１４の領域Ｓｕｂ１（Ｌ０）に設定された番組＃１の映像（動画）を出力する。
【０１１５】
そこで、時間Ｔ２後に、ステップＳ３０１で子画面２２２（１）の選択要求があった場合、制御部１１２は、ＲＡＭ１１４において、子画面２２２（１）用の領域Ｓｕｂ１（Ｌ１）に設定された番組＃２の事前選局制御を、子画面２２２（１），２２２（２）共用の処理系を用いて行う（ステップＳ３０２）。
【０１１６】
これにより、チューナ１（チューナ部２−４）の切換時間と映像デコーダ１（映像デコーダ５−４）の切換時間とを加算した時間Ｔ３経過後に、映像デコーダ１（映像デコーダ５−４）は、領域Ｓｕｂ１（Ｌ１）に設定された番組＃２の映像（動画）をデコード出力する。
このとき、メモリ１（メモリ８−４）は、領域Ｓｕｂ１（Ｌ１）に設定された番組＃２の映像データを出力しているが、表示優先度が、「メモリ０（メモリ８−２）からの出力画像＞メモリ１（メモリ８−４）からの出力画像」となっているので、当該映像データは、表示部１１１で表示されない。
また、表示部１１１での子画面２２２（１）は、上記図８の下部“子画面表示イメージ”に示すように、その枠がフォーカスされること等により、子画面２２２（１）の選択モードであることが示される。
【０１１７】
上述のようにして、ステップＳ３０２で子画面２２２（１）の事前選局することが必要な理由は、上記切換時間Ｔ３は、アナログ放送の場合、チューナの切り換えのみなので５００［ｍｓ］位でほぼ瞬時に切り換わることに対して、ディジタル放送の場合、受信装置１００側で圧縮されたデータを伸長する必要があり、この処理に２〜３［ｓ］を要するためである。
【０１１８】
本実施の形態では、特に、予め番組をＲＡＭ１１４にエントリさせることで、番組切換後の番組が決定しているので、子画面選択時にすばやく事前選局を行うことができる。
【０１１９】
制御部１１２は、ステップＳ３０２での事前選局が完了するまで待機し（ステップＳ３０３）、当該事前選局が完了したことを確認すると、リモコン受光部１１６にてリモコン１１７から子画面２２２（１）の番組切換を示すコマンド（子画面２２２（１）の番組切換要求）が受け付けられるまで待機する（ステップＳ３０４）。
制御部１１２は、当該コマンドが受け付けられたことを確認すると、ＲＯＭ１１３に予め格納されたワイプ方式の設定パラメータを取得し（ステップＳ３０５）、詳細は後述する子画面２２２（１）のワイプ切換処理を実行する（ステップＳ３０６）。
【０１２０】
そして、制御部１１２は、時間Ｔ５後に（上記図８参照）、ワイプ切換処理が終了したことを確認すると（ステップＳ３０７）、ＲＡＭ１１４において、子画面２２２（１）のエントリ番組の順番を、
Ｓｕｂ１（Ｌ０）←番組＃２
Ｓｕｂ１（Ｌ１）←番組＃３
Ｓｕｂ１（Ｌ２）←番組＃４
Ｓｕｂ１（Ｌ３）←番組＃５
Ｓｕｂ１（Ｌ４）←番組＃１
のようなリング巡回的に変更する（ステップＳ３０８）。
【０１２１】
また、制御部１１２は、子画面２２２（１）の表示優先度を、「メモリ１（メモリ８−４）からの出力画像＞メモリ０（メモリ８−２）からの出力画像」へ変更する（ステップＳ３０９）。
【０１２２】
時間Ｔ６後（上記図８参照）、制御部１１２は、再びステップＳ３００へ戻り、子画面２２２（１）に対して選択要求があった場合は、ステップＳ３０１〜ステップＳ３０９を繰り返し実行する。このときのタイミングは、上記図８の“Ｔ７”〜“Ｔ１０”で示すようになる。
【０１２３】
上記図７のステップＳｓ３０６でのワイプ切換処理の一例として、次のような処理方法を挙げる。
【０１２４】
まず、上述したように本実施の形態では、合成部１０９において、メモリ制御部７−２，７−４からの各データ有効信号をモニタし、データ有効信号がアクティブとなるデータのみ出力し、データ有効信号が同時にアクティブになった場合は優先度を加味して選択出力することで、画像合成を実現したが、ワイプ切換処理についても当該画像合成と場合と同様にして実現する。
【０１２５】
具体的には、図９において、“▲１▼”は、ワイプ切換処理開始直前の水平方向の処理タイミングを表している。
上記図９の“▲１▼”に示すように、メモリ０（メモリ８−２）及びメモリ１（メモリ８−４）からの出力画像のデータ有効信号は共に、同図に示す子画面表示有効期間ｔ１分だけ、メモリ制御部７−２及び７−４から出力されている。
したがって、表示優先度（メモリ０からの出力画像＞メモリ１からの出力画像）を加味すると、ワイプ画面の合成結果は、メモリ０（メモリ８−２）からの出力画像のみとなる。
【０１２６】
また、上記図９において、“▲２▼”は、ワイプ切換処理実行中の水平方向の処理タイミングを表している。
上記図９の“▲２▼”に示すように、メモリ０（メモリ８−２）からの出力画像のデータ有効信号は、ワイプ表示有効領域分（同図に示す“メモリ０からの出力画像のワイプ有効期間ｔ２”）のみメモリ制御部７−２から部分的にマスクされて出力される。
したがって、ワイプ画面の合成結果は、メモリ０（メモリ８−２）とメモリ１（メモリ８−４）からの出力画像それぞれの部分合成画面となる。
【０１２７】
また、上記図９において、“▲３▼”は、ワイプ切換処理終了直後の１フレームの水平方向の処理のタイミングを表している。
上記図９の“▲３▼”に示すように、メモリ０（メモリ８−２）からの出力画像のデータ有効信号は、メモリ制御部７−２で完全マスクされて出力される。
したがって、ワイプ画面の合成結果は、メモリ１（メモリ８−４）からの出力画像のみとなる。
【０１２８】
上記図９の“▲２▼”に示した、メモリ０（メモリ８−２）からの出力画像のマスク領域の制御方法の一例として、次のような方法を挙げる。
【０１２９】
マスク領域の制御単位は、ワイプ効果時間をＴ［ｓ］、表示部１１１のリフレッシュレートをＦ［Ｈｚ］、ワイプ対象子画面（ここでは、子画面２２２（１））の水平解像度をＨ［Ｐｉｘｅｌ］とすると、
ワイプステップ数＝Ｔ×Ｆ        …（１）
なる式（１）より、
マスク領域の制御単位［Ｐｉｘｅｌ］＝Ｈ／ワイプステップ数   …（２）
なる式（２）で表され、当該式（２）より、ワイプ中の子画面有効期間は、
ワイプ中の子画面有効期間＝子画面有効期間―マスク領域の制御単位…（３）
なる式（３）で算出される。
【０１３０】
上述のような式（１）〜（３）に従った制御を、表示部１１１の垂直同期信号に同期して、上記式（１）で示されるワイプステップ数の回数分、実行することで、決まった時間内のワイプ切換処理が実現する。
【０１３１】
また、上記式（３）で示されるワイプ中の子画面有効期間に出力する画像領域を、メモリ制御部７−２の制御のもとに設定することで、種々のワイプ視覚的効果を得ることができる。
例えば、メモリ０（メモリ８−２）からの出力画像の出力領域を、左から、上記式（２）で示されるマスク領域の制御単位で減じていき、上記図９に示したようなタイミングでデータ有効信号を出力させれば、同図に示す“ワイプ合成画面”のイメージのように、メモリ０（メモリ８−２）からの出力画像が動画で左方向に抜き取られ、メモリ１（メモリ８−４）からの出力画像が動画で段階的に現れるようなワイプ表示効果を得ることができる。
【０１３２】
以上説明したような処理ステップを実行することで、マルチ画面表示時の子画面ワイプ切換による番組選局が実現できる。
【０１３３】
＜第２の実施の形態＞
第１の実施の形態では、上記図１の受信装置１００において、映像処理部１０２（４）の各構成部２−４〜８−４に至る独立した子画面２２２（１），２２２（２）共用の処理系を用いた、ダブルチューナによる子画面の動画対動画ワイプの実施の形態とした。
しかしながら、装置或はシステムのコストの削減や、その他の商品企画マターによって、映像処理部１０２（４）の各構成部２−４〜８−４に至る独立した子画面２２２（１），２２２（２）共用の処理系をもてない、すなわち、子画面ワイプ時にシングルチューナしか適応できないケースも有りうる。
そこで、本実施の形態では、“シングルチューナ時の子画面ワイプ番組切換え動作”を、次のようにして実施する。
【０１３４】
まず、本実施の形態においては、上記図１の受信装置１００において、映像処理部１０２（１）の各構成部２−１〜８−１に至る独立した処理系を主画面２２１用の処理系とし、映像処理部１０２（２）の各構成部２−２〜８−２に至る独立した処理系を子画面２２２（１）用の処理系とし、映像処理部１０２（３）の各構成部２−３〜８−３に至る独立した処理系を子画面２２２（２）用の処理系とする。
【０１３５】
また、子画面２２２（１）用の処理系のメモリ８−２、及び子画面２２２（２）用の処理系のメモリ８−３はそれぞれ、子画面を２画面分保持できるメモリサイズを有し、それらのメモリ制御部７−２及び７−３はそれぞれ、メモリの２画面を同時に合成部１０９へ出力できるような、２系統の独立した出力を有する。これにより、合成部１０９には、メモリ制御部７−１から１つ、メモリ制御部７−２から２つ、メモリ制御部７−３から２つの合計５つの独立した出力が供給されることになるが、本実施の形態では、４つの独立した処理系を同時に処理できる能力があれば十分である。
【０１３６】
図１０及び図１１は、本実施の形態での受信装置１００の“シングルチューナ時の子画面ワイプ番組切換え動作”を示したものである。
尚、上記図１０のフローチャートにおいて、ステップＳ４００、Ｓ４０１，Ｓ４１１，Ｓ４１２の条件分岐部分は、リモコン１１７からのユーザアクションによる条件分岐を示している。
【０１３７】
先ず、制御部１１２は、リモコン受光部１１６で受け付けられたコマンドが、ユーザがリモコン１１７に設けられた自動ワイプ切換モードキーを押下したものによるコマンド（自動ワイプ切換モード）であるか否かを判別する（ステップＳ４００）。
【０１３８】
ステップＳ４００の判別の結果、自動ワイプ切換モードである場合、制御部１１２は、自動ワイプ切換処理を実行して（ステップＳ４２１）、再びステップＳ４００へ戻り、以降の処理ステップを繰り返し実行する。
尚、自動ワイプ切換処理については、その一例として、後述する“第３の実施の形態”の項で説明する。
【０１３９】
ステップＳ４００の判別の結果、自動ワイプ切換モードでない場合、制御部１１２は、ユーザアクションモードと認識し、リモコン受光部１１６により、リモコン１１７からの子画面２２２（１）の選択を示すコマンド（子画面２２２（１）の選択要求）が受け付けられたか否かを判別し（ステップＳ４０１）、その判別の結果、子画面２２２（１）の選択要求が受け付けられていない場合には、さらにリモコン１１７のから子画面２２２（２）の選択を示すコマンド（子画面２２２（２）の選択要求）が受け付けられたか否かを判別する（ステップＳ４１１）。
ステップＳ４０１及びＳ４１１の判別の結果、リモコン受光部１１６にて子画面２２２（１）と子画面２２２（２）の何れの選択要求をも受け付けられていない場合、ステップＳ４０１へ戻り、以降の処理ステップを繰り返し実行する。
また、ステップＳ４０１の判別の結果、リモコン受光部１１６にて子画面２２２（１）の選択要求が受け付けられた場合、ステップＳ４０２からの処理（ステップＳ４０２〜Ｓ４１０）に進み、ステップＳ４１１の判別の結果、リモコン受光部１１６にて子画面２２２（２）の選択要求が受け付けられた場合、ステップＳ４１２からの処理（ステップＳ４１２〜Ｓ４２０）に進む。
【０１４０】
尚、ステップＳ４０２〜Ｓ４１０の処理と、ステップＳ４１２〜Ｓ４２０の処理とは、対象となる子画面が異なるだけであり、基本的な処理は同様であるため、ここでは説明の簡単のため、ステップＳ４０２〜Ｓ４１０の処理について説明する。
【０１４１】
ステップＳ４０１の判別の結果、リモコン受光部１１６にてリモコン１１７から子画面２２２（１）の選択要求が受け付けられた場合の処理（ステップＳ４０２〜Ｓ４１０）について説明するが、その前に、上記図１と上記図１１の対応について説明する。
上記図１１では、「チューナ０」がチューナ部２−２、「映像デコーダ０」が映像デコーダ５−２、「メモリ０の領域０」がメモリ８−２内の領域０、「メモリ０の領域１」がメモリ８−２内の領域１にそれぞれ対応し、これらの構成部が、子画面２２２（１）用の処理系となる。
【０１４２】
また、第１の実施の形態での初期化では、チューナ０（チューナ２−２）の切換時間と映像デコーダ０（映像デコーダ５−２）の切換時間とを加算した時間Ｔ１経過後に、時間Ｔ２の間、映像デコーダ０（映像デコーダ５−２）が、ＲＡＭ１１４の領域Ｓｕｂ１（Ｌ０）に格納された番組＃１の映像（動画）をデコード出力する（上記図５参照）。
このとき、メモリ０（メモリ８−２）も同様に、ＲＡＭ１１４の領域Ｓｕｂ１（Ｌ０）に設定された番組＃１の映像（動画）を出力する。
【０１４３】
そこで、時間Ｔ２後に、ステップＳ４０１で子画面２２２（１）の選択要求があった場合、第１の実施の形態のように事前選局制御は行わず（上記図７のステップＳ３０２参照）、先ず、制御部１１２は、表示部１１１での子画面２２２（１）を、上記図１１の下部“子画面表示イメージ”に示すように、その枠をフォーカスする等して、子画面２２２（１）の選択モードであることを示し、リモコン受光部１１６にてリモコン１１７から子画面２２２（１）の番組切換を示すコマンド（子画面２２２（１）の番組切換要求）が受け付けられるまで待機する（ステップＳ４０２）。
そして、制御部１１２は、時間Ｔ３経過後に、当該コマンドが受け付けられたことを確認すると、メモリ制御部７−２が次のように動作するように制御する。
【０１４４】
メモリ制御部７−２は、メモリ８−２内の映像データの更新（画像データの読み込み）を停止し、ＲＡＭ１１４の領域Ｓｕｂ１（Ｌ１）に設定された番組＃１の映像で、メモリ８−２内の領域０へ静止画キャプチャする（ステップＳ４０３）。
これにより、子画面２２２（１）には、番組＃１の静止画が表示される。
【０１４５】
次に、制御部１１２は、ＲＡＭ１１４において、子画面２２２（１）用の領域Ｓｕｂ１（Ｌ１）に設定された番組＃２の事前選局制御を、子画面２２２（１）用の処理系を用いて行う（ステップＳ４０４）。
【０１４６】
これにより、チューナ０（チューナ部２−２）の切換時間と映像デコーダ０（映像デコーダ５−２）の切換時間とを加算した時間Ｔ４経過後に、映像デコーダ０（映像デコーダ５−２）は、領域Ｓｕｂ１（Ｌ１）に設定された番組＃２の映像（動画）をデコード出力する。
また、メモリ制御部７−２は、領域Ｓｕｂ１（Ｌ１）に設定された番組＃２の映像で、メモリ８−２内の領域１を更新（動画更新）する。
【０１４７】
このとき、メモリ０の領域１（メモリ８−２の領域１）は、領域Ｓｕｂ１（Ｌ１）に設定された番組＃２の映像データを出力しているが、表示優先度が、「メモリ０の領域０（メモリ８−２の領域０）からの出力画像＞メモリ０の領域１（メモリ８−４の領域１）からの出力画像」となっているので、当該映像データは、表示部１１１で表示されない。
【０１４８】
制御部１１２は、ステップＳ４０４での事前選局が完了するまで待機し（ステップＳ４０５）、当該事前選局が完了したことを確認すると、ＲＯＭ１１３に予め格納されたワイプ方式の設定パラメータを取得し（ステップＳ４０６）、第１の実施の形態と同様の子画面２２２（１）のワイプ切換処理を実行する（ステップＳ４０７）。
尚、ステップＳ４０７でのワイプ切換処理について、第１の実施の形態と本実施の形態との違いは、本実施の形態では、上記図１１の下部の“子画面表示イメージ”に示すように、メモリ０の領域０からの出力画像が静止画のままで左方向に抜き取られ、メモリ０の領域１からの出力画像が動画で段階的に現れるようなワイプ表示効果になることである。
【０１４９】
そして、制御部１１２は、時間Ｔ５後に、ワイプ切換処理が終了したことを確認すると（ステップＳ４０８）、ＲＡＭ１１４において、子画面２２２（１）のエントリ番組の順番を、
Ｓｕｂ１（Ｌ０）←番組＃２
Ｓｕｂ１（Ｌ１）←番組＃３
Ｓｕｂ１（Ｌ２）←番組＃４
Ｓｕｂ１（Ｌ３）←番組＃５
Ｓｕｂ１（Ｌ４）←番組＃１
のようなリング巡回的に変更する（ステップＳ４０９）。
【０１５０】
また、制御部１１２は、子画面２２２（１）の表示優先度を、「メモリ０の領域１からの出力画像＞メモリ０の領域０からの出力画像」へ変更する（ステップＳ４１０）。
【０１５１】
時間Ｔ６後（上記図１１参照）、制御部１１２は、再びステップＳ４００へ戻り、子画面２２２（１）に対して選択要求があった場合は、ステップＳ４０１〜ステップＳ４１０を繰り返し実行する。このときのタイミングは、上記図１１の“Ｔ７”〜“Ｔ１０”で示すようになる。
【０１５２】
以上説明したような処理ステップを実行することで、シングルチューナ時においても、マルチ画面表示時の子画面ワイプ切換による番組選局が実現できる。
【０１５３】
＜第３の実施の形態＞
本実施の形態では、上記図７のステップＳ３１９、及び上記図１０のステップＳ４２１の自動ワイプ切換処理を、次のようにして実施する。
【０１５４】
尚、第２の実施の形態での自動ワイプ切換処理（上記図１０のステップＳ４２１）は、以下に説明する第１の実施の形態での自動ワイプ切換処理（上記図７のステップＳ３１９）に適応すれば同様に説明できるので、ここではその詳細は省略する。
【０１５５】
まず、自動ワイプ切換処理は、ユーザから自動ワイプ切換モードが指定された場合、ユーザが上記図４の画面レイアウト２２０に従った表示画面（マルチ画面）で主画面２２１を視聴しているときに、受信装置１００が子画面２２２（１），２２２（２）を任意の一定の間隔で自動的にワイプ動作で切換えるための処理である。
これにより、ユーザは、リモコン１１７を使用しなくても、番組チェックを行える。
【０１５６】
そこで、本実施の形態では、第１の実施の形態と同様に、上記図１の受信装置１００において、主画面２２１用の処理系を映像処理部１０２（１）とし、子画面２２２（１）用の処理系を映像処理部１０２（２）とし、子画面２２２（２）用の処理系を映像処理部１０２（３）とし、子画面２２２（１），２２２（２）共用の処理系を映像処理部１０２（４）とし、合成部１０９は、これらの４つの独立した処理系を同時に処理できる能力を有するものとする。
【０１５７】
また、図１２は、本実施の形態での自動ワイプ切換処理を示したものである。
上記図１２のフローチャートにおいて、ステップＳ５０２３００、Ｓ３０１，Ｓ３０４，Ｓ３１０，Ｓ３１３の条件分岐部分は、リモコン１１７からのユーザアクションによる条件分岐を示している。
【０１５８】
尚、本実施の形態では、上記図１２のステップＳ５０８及びＳ５１３（図中の点線部分）を除いた処理とし、当該処理については、その一例を“第４の実施の形態”で述べる。
【０１５９】
先ず、制御部１１２は、ＲＯＭ１１３に予めプリセットされたワイプ切換対象子画面の情報を取得する（ステップＳ５００）。
ここでは、ワイプ切換対象子画面を、表示優先度の高い子画面２２２（１）とする。
【０１６０】
次に、制御部１１２は、表示制御部１１０を介して表示部１１１を制御することで、表示部１１１で子画面２２２（１）を一定期間表示するために表示ウェイトさせる（ステップＳ５０１）。
この期間、ユーザは、子画面２２２（１）をじっくり視聴することができる。
【０１６１】
次に、制御部１１２は、リモコン受光部１１６にてリモコン１１７からキャンセルのコマンドが受け付けられたか否か（ユーザからのキャンセルアクションがあったか否か）を判別する（ステップＳ５０２）。
この判別の結果、キャンセルアクションがあった場合には、直ちに本処理終了となる。すなわち、自動ワイプ切換モードから抜ける。
【０１６２】
一方、ステップＳ５０２の判別の結果、キャンセルアクションがない場合、制御部１１２は、一定期間の表示ウェイトが終了したことを検知すると（ステップＳ５０３）、ＲＡＭ１１４において、子画面２２２（１）用の領域Ｓｕｂ１（Ｌ１）に設定された番組＃２の事前選局制御を、子画面２２２（１），２２２（２）共用の処理系を用いて行う（ステップＳ５０４）。
【０１６３】
制御部１１２は、ステップＳ５０４での選局制御の完了を確認すると（ステップＳ５０５）、ＲＯＭ１１３に予め設定された自動ワイプ方式の設定パラメータを取得し（ステップＳ５０６）、当該設定パラメータを用いた子画面２２２（１）のワイプ切換処理を実行する（ステップＳ５０７）。
このときの処理タイミングは、上記図８に示したタイミングと同様である。
【０１６４】
ここで、本実施の形態でのワイプ切換処理にとって重要なことは、ワイプ効果時間である。
第１の実施の形態では、ユーザアクションで番組を切換えることを主眼に置き、ある程度ワイプ効果時間をはやめに設定した方が、ユーザが素早く選局したい場合には有利となる。
しかしながら、本実施の形態では、ユーザが主画面２２１を視聴しているとき、受信装置１００が子画面を任意の一定の間隔で自動的に切換えることで、ユーザがリモコン１１７を使用しなくても番組チェックができることを特徴としているので、ある程度ワイプ効果時間をゆっくりに設定した方が、ユーザは画面を見やすくなり有利となる。
【０１６５】
例えば、４秒くらいでゆっくりワイプさせたい場合、表示部１１１が６０［Ｈｚ］であるものとすると、上述した式（１）により、ワイプステップ数を、
ワイプステップ数＝４［ｓ］×６０［Ｈｚ］＝２４０ステップ
に設定すれば実現できる。
【０１６６】
次に、制御部１１２は、ステップＳ５０７でのワイプ切換処理の終了を検知すると（ステップＳ５０９）、ＲＡＭ１１４において、子画面２２２（１）のエントリ番組の順番を
Ｓｕｂ１（Ｌ０）←番組＃２
Ｓｕｂ１（Ｌ１）←番組＃３
Ｓｕｂ１（Ｌ２）←番組＃４
Ｓｕｂ１（Ｌ３）←番組＃５
Ｓｕｂ１（Ｌ４）←番組＃１
のようなリング巡回的に変更する（ステップＳ５１０）。
【０１６７】
また、制御部１１２は、子画面２２２（１）の表示優先度を、「メモリ１からの出力画像＞メモリ０からの出力画像」へ変更すると共に（ステップＳ５１１）、ワイプ対象子画面を子画面２２２（１）から子画面２２２（２）へ変更する（ステップＳ５１２）。
その後、制御部１１２は、再びステップＳ５０１へ戻り、以降の処理ステップを、ワイプ対象子画面を子画面２２２（２）として実行する。
【０１６８】
以上説明したような処理ステップを実行することで、子画面２２２（１）と子画面２２２（２）を交互に自動ワイプ動作で切換えながら、
子画面２２２（１）（番組＃１）→子画面２２２（２）（番組＃６）
→子画面２２２（１）（番組＃２）→子画面２２２（２）（番組＃７）
→子画面２２２（１）（番組＃３）→子画面２２２（２）（番組＃８）…
のように、各子画面にエントリされた番組を自動的にチェックすることができる。
また、自動ワイプ切換時のワイプ効果時間を、ユーザアクション時のワイプ効果時間と可変させることで、使い勝手の良いユーザインタフェースを提供できる。これは、本実施の形態の特有の効果である。
【０１６９】
＜第４の実施の形態＞
本実施の形態では、第３の実施の形態での自動ワイプ切換処理において、ユーザからＵＮＤＯアクションがあった場合、次のような処理を実施する。
【０１７０】
まず、図１３（ａ）〜（ｆ）は、自動ワイプ切換処理時にワイプ効果時間をゆっくり変化させた場合のイメージを示したものである。
例えば、ユーザが子画面２２２（１）でサッカー番組を見ていたものとする（上記図１３（ａ）参照）。この状態で、ユーザが、他の番組をチェックするために、リモコン１１７で自動ワイプ切換モードへの設定を行うと、“第３の実施の形態”で述べたような構成により、子画面２２２（１）の表示状態は、上記図１３の（ａ）の画面から、（ｂ）→（ｃ）→（ｄ）→（ｅ）の画面と変化する。
【０１７１】
ところで、ワイプ切換期間中にも、番組は動画であり刻々と変化している。例えば、ワイプ切換前のサッカー番組が、時間の経過に従って、上記図１３の（ｃ）に示すように、サッカーのシュートシーンからゴールしたシーンのように決定的なシーンに切換わる可能性がある。
ワイプ切換を行なう構成ではなく、瞬時に切換えてしまう従来の構成では、このような決定的なシーンを見逃してしまう可能性が有る。
しかしながら、本実施の形態では、ワイプ動作による選局切換の構成をとっているので、特に、“第３の実施の形態”で述べたように、ワイプ効果時間をゆっくり（例えば、３〜４秒等）にさせる構成とすることで、決定的なシーンを選局切換中でもチェックすることができる。
【０１７２】
すなわち、本実施の形態では、上記図１２の点線部分に示すように、第３の実施の形態での自動ワイプ切換処理において、ステップＳ５０８及びＳ５１３を更に設ける。
【０１７３】
上記図１２に示すように、ステップＳ５０７で、制御部１１２は、ワイプ切換処理を実行する。
このとき、ユーザが、リモコン１１７によりＵＮＤＯ（元に戻す）操作を行なうと、このコマンド（要求）は、リモコン発光部１１６を介して制御部１１２へ供給される。
これにより、制御部１１２は、ユーザからＵＮＤＯ要求がなされたことを認識し（ステップＳ５０８）、ワイプ切換処理を中断し、当該処理前の番組を子画面に表示する処理等（全ての機能をワイプ動作前の状態にリセットするＵＮＤＯ処理）を実行し（ステップＳ５１３）、直ちに自動ワイプ切換えモードから抜ける。
【０１７４】
これにより、上記図１３（ｆ）に示すように、子画面の表示状態が、ワイプ切換前の番組へすばやく戻り、決定的な番組のシーンを見逃すことはなくなる。
このように、ワイプ切換時にユーザのＵＮＤＯアクションで、すばやく前の番組に戻すことができることは、ワイプ動作を選局時に適用した本実施の形態有の効果である。
【０１７５】
尚、本発明の目的は、第１〜第４の実施の形態のホスト及び端末の機能を実現するソフトウェアのプログラムコードを記憶した記憶媒体を、システム或いは装置に供給し、そのシステム或いは装置のコンピュータ（又はＣＰＵやＭＰＵ）が記憶媒体に格納されたプログラムコードを読みだして実行することによっても、達成されることは言うまでもない。
この場合、記憶媒体から読み出されたプログラムコード自体が第１〜第４の実施の形態の機能を実現することとなり、そのプログラムコードを記憶した記憶媒体は本発明を構成することとなる。
プログラムコードを供給するための記憶媒体としては、ＲＯＭ、フロッピーディスク、ハードディスク、光ディスク、光磁気ディスク、ＣＤ−ＲＯＭ、ＣＤ−Ｒ、磁気テープ、不揮発性のメモリカード等を用いることができる。
また、コンピュータが読みだしたプログラムコードを実行することにより、第１〜第４の実施の形態の機能が実現されるだけでなく、そのプログラムコードの指示に基づき、コンピュータ上で稼動しているＯＳ等が実際の処理の一部又は全部を行い、その処理によって第１〜第４の実施の形態の機能が実現される場合も含まれることは言うまでもない。
さらに、記憶媒体から読み出されたプログラムコードが、コンピュータに挿入された拡張機能ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部又は全部を行い、その処理によって第１〜第４の実施の形態の機能が実現される場合も含まれることは言うまでもない。
【０１７６】
【発明の効果】
以上説明したように本発明では、第１のチャンネルから第２のチャンネルへのチャンネルの切り換えの際に、チャンネル切換前の第１のチャンネルの映像と、チャンネル切換後の第２のチャンネルの映像とを合成して表示する所定期間を設けるように構成したので、主画面及び子画面を有するマルチ画面において、どの画面のチャンネル切り換えがなされたかを視覚的に認識しやすくすることができる。また、第１のチャンネルの映像と第２のチャンネルの映像とが合成されて表示されている状態でユーザから第１のチャンネルの映像の表示状態に戻る旨の指示入力がなされた場合には、第１のチャンネルの映像と第２のチャンネルの映像とが合成されて表示されている状態から、第１のチャンネルの映像を表示する状態に戻すようにしたので、切換前のチャンネルの映像をユーザが見逃すことを可及的に防止することができる。
【図面の簡単な説明】
【図１】第１の実施の形態において、本発明を適用した受信装置の構成を示すブロック図である。
【図２】上記受信装置の合成部の構成を説明するための図である。
【図３】上記受信装置の初期化動作を説明するためのフローチャートである。
【図４】上記受信装置での画面レイアウトを説明するための図である。
【図５】上記受信装置のＲＡＭにおいて、エントリ番組の設定を説明するための図である。
【図６】上記初期化動作において、エントリ番組のフィルタリング処理を説明するためのフローチャートである。
【図７】上記受信装置のダブルチューナ時の子画面ワイプ番組切換動作を説明するためのフローチャートである。
【図８】上記ダブルチューナ時の子画面ワイプ番組切換動作のタイミングを説明するための図である。
【図９】上記ダブルチューナ時の子画面ワイプ番組切換動作において、ワイプ合成画面を説明するための図である。
【図１０】第２の実施の形態において、上記受信装置のダブルチューナ時の子画面ワイプ番組切換動作を説明するためのフローチャートである。
【図１１】第２の実施の形態において、上記ダブルチューナ時の子画面ワイプ番組切換動作のタイミングを説明するための図である。
【図１２】第３及び第４の実施の形態において、上記受信装置のダブルチューナ時の子画面ワイプ番組切換動作の自動ワイプ切換処理を説明するためのフローチャートである。
【図１３】第４の実施の形態において、上記自動ワイプ切換処理のユーザからのＵＮＤＯアクションを説明するための図である。
【符号の説明】
１００  受信装置
１０１  アンテナ（パラボラアンテナ）
１０２（１）〜（４）  映像処理部
１０９  合成部
１１０  表示制御部
１１１  表示部
１１２  制御部
１１３  ＲＯＭ
１１４  ＲＡＭ
１１５  ＧＵＩ生成部
１１６  リモコン受光部
１１７  リモートコントローラ
２−１〜２−４  チューナ部
３−１〜３−４  復調部
４−１〜４−４  デマルチプレクサ
５−１〜５−４  映像デコーダ
６−１〜６−４  拡大縮小部
７−１〜７−４  メモリ制御部
８−１〜８−４  メモリ
【図１】
0004240785.tif 000002
【図２】
0004240785.tif 000003
【図３】
0004240785.tif 000004
【図４】
0004240785.tif 000005
【図５】
0004240785.tif 000006
【図６】
0004240785.tif 000007
【図７】
0004240785.tif 000008
【図８】
0004240785.tif 000009
【図９】
0004240785.tif 000010
【図１０】
0004240785.tif 000011
【図１１】
0004240785.tif 000012
【図１２】
0004240785.tif 000013
【図１３】
0004240785.tif 000014